(57)【特許請求の範囲】
【請求項１】
情報記録媒体に対して記録／再生を行うピックアップを情報記録媒体のラジアル方向へ移動させるために、回転駆動されるリードスクリューと、ピックアップハウジングに設置されて前記リードスクリューのネジ溝に係合するラックからなるシーク機構において、
前記リードスクリューの端部を回転可能に支持する通孔が設けられ、前記ラックを前記リードスクリューのネジ溝に対して弾接するように保持してなるラック保持部材と、前記ピックアップハウジングに設けられ、前記リードスクリューの端部を回転可能に支持する保持孔を有する保持部とを備え、前記リードスクリューの端部を前記ラック保持部材の通孔を貫通させて、前記保持部の保持孔に嵌挿させることにより、前記ラック保持部材を前記ピックアップハウジングに保持させたシーク機構であって、
前記ピックアップハウジングと前記ラック保持部材との間に弾性部材を配置し、この弾性部材の位置決め部を前記ピックアップハウジングと前記ラック保持部材に設けたことを特徴とするピックアップのシーク機構。
【請求項２】
前記ラック保持部材に、当該ラック保持部材における前記リードスクリューの回転方向への回動を規制する規制部を設けたことを特徴とする請求項１記載のピックアップのシーク機構。
【請求項３】
前記ピックアップハウジングと前記ラック保持部材との間に、前記ラック保持部材を前記リードスクリューの長手軸方向に付勢する付勢弾性部材を設けたことを特徴とする請求項１または２記載のピックアップのシーク機構。
【請求項４】
前記ピックアップハウジングと前記ラック保持部材との間に、防振用部材を介在させたことを特徴とする請求項１〜３のいずれか１項記載のピックアップのシーク機構。
【請求項５】
前記ラック保持部材を箱状に形成し、当該ラック保持部材におけるラックと対向する部位に開口部を設けたことを特徴とする請求項１〜４のいずれか１項記載のピックアップのシーク機構。
【請求項６】
前記ラック保持部材に、前記開口部を閉鎖する蓋部を一体に設けたことを特徴とする請求項５記載のピックアップのシーク機構。
【請求項７】
前記ラック保持部材を、互いに嵌合可能に２部材に分割して形成し、一方の部材で前記ラックを弾性的に保持し、かつ両部材によって前記リードスクリューを挟持することを特徴とする請求項１〜６のいずれか１項記載のピックアップのシーク機構。
【発明の詳細な説明】
【０００１】
【発明の属する技術分野】
本発明は、光ディスクドライブ装置などに適用され、光ディスクなどの情報記録媒体に対して記録／再生を行うピックアップをシーク方向へ移動させるためのシーク機構に関する。
【０００２】
【従来の技術】
従来、光ディスクドライブ装置において光ディスクの記録面に光ビームを集光させ、情報の読取り／書込みを行うためのピックアップを光ディスクのラジアル方向に駆動させるためのシーク機構としては、図１８，図１９に示す構成例のように、ピックアップ１を搭載するピックアップハウジング２に設けられた対向する保持腕３，３に通孔４，４を形成し、これらの通孔４，４にリードスクリュー５を回転可能に遊嵌して、リードスクリュー５のネジ溝５ａに、ピックアップハウジング２に一端をネジ６にて固定した板バネ７における他端に設けられたラック８を噛合させており、図示しない駆動源からの回転駆動力を受けてリードスクリュー５を回転させ、ラック８をリードスクリュー５における長手軸方向に沿って移動させることにより、ピックアップハウジング２をシーク方向へ駆動するようにしている。
【０００３】
前記従来の構成では、ラック８が板バネ７の付勢力を受けてリードスクリュー５のネジ溝５ａに押圧されて噛合しており、板バネ７はネジ６によりピックアップハウジング２に、その端部が固定されている。
【０００４】
前記のようなネジ６による固定の場合、リードスクリュー５とラック８との摺動部に振動が発生しやすく、それが板バネ７を伝わってネジ６の弛みを発生させるおそれがある。このネジ６の弛みは、リードスクリュー５とラック８との送り動作に影響を与え、ピックアップ１が適正に送られず記録／再生不良を発生させる原因となる。
【０００５】
そこで特開平１０−２２２８４８号公報に記載されているように、リードスクリューのネジ溝にラックを押圧付勢するための板バネからなるラックスプリングを、位置決めピンによって位置決め固定する構成が提案されている。
【０００６】
【発明が解決しようとする課題】
前記従来の技術のように、ラック８を板バネ７を用いてリードスクリュー５のネジ溝５ａに押圧して噛合させる構成であって、板バネ７をネジ６によりピックアップハウジング２に固定する構造のものでは、記録／再生動作の長期にわたる信頼性および安定性を維持するには、ネジ６の弛みに対応する構造が必要になり、また板バネ７あるいは位置決めピンなどをピックアップハウジング２の上部に設置するため、装置全体の薄型化を阻害する原因となっていた。
【０００７】
さらに、ネジ６を使用することにより、ピックアップハウジング２にネジ孔加工を施す必要があり、またネジ締め作業が必要になるなど、コストアップにつながる。
【０００８】
本発明は、前記従来の技術の課題を解決し、ラックをリードスクリューのネジ溝に押圧して噛合させる構成において、ネジを使用せず、部品点数，工数の低減、および薄型化を図ることができ、さらにラック配置に自由度があり、ラックの傾きを抑制することができ、信頼性の高いピックアップのシーク機構を提供することを目的とする。
【０００９】
【課題を解決するための手段】
前記目的を達成するため、本発明は、情報記録媒体に対して記録／再生を行うピックアップを情報記録媒体のラジアル方向へ移動させるために、回転駆動されるリードスクリューと、ピックアップハウジングに設置されて前記リードスクリューのネジ溝に係合するラックからなるシーク機構において、前記リードスクリューの端部を回転可能に支持する通孔が設けられ、前記ラックを前記リードスクリューのネジ溝に対して弾接するように保持してなるラック保持部材と、前記ピックアップハウジングに設けられ、前記リードスクリューの端部を回転可能に支持する保持孔を有する保持部とを備え、前記リードスクリューの端部を前記ラック保持部材の通孔を貫通させて、前記保持部の保持孔に嵌挿させることにより、前記ラック保持部材を前記ピックアップハウジングに保持させたシーク機構であって、前記ピックアップハウジングと前記ラック保持部材との間に弾性部材を配置し、この弾性部材の位置決め部を前記ピックアップハウジングと前記ラック保持部材に設けたものであり、この構成によって、ラック保持部材にリードスクリューとラックが設けられることになり、リードスクリューとラックとの弾接噛合関係は、ネジなどを使用することなく適正に保持され、リードスクリューとラックを含むラック保持部材をピックアップハウジングの側部に設置することによって薄型化を図ることが可能になる。しかも、ピックアップハウジングとラック保持部材との間に弾性部材を配置し、この弾性部材の位置決め部をピックアップハウジングとラック保持部材に設けたことにより、確実かつ安定的にリードスクリューとラックとの弾接噛合関係を維持することができる。
【００１０】
また本発明は、前記ラック保持部材に、当該ラック保持部材における前記リードスクリューの回転方向への回動を規制する規制部を設けたものであり、この構成によって、ラック保持部材がリードスクリューと共に回動することを防ぐことができるため、ラック保持部材の設置がリードスクリューの回転動作に干渉することをなくすことができる。
【００１１】
また本発明は、前記ピックアップハウジングと前記ラック保持部材との間に、前記ラック保持部材を前記リードスクリューの長手軸方向に付勢する付勢弾性部材を設けたものであり、この構成によって、リードスクリューの長手軸方向におけるラックとの押圧噛合関係を良好に維持することができる。
【００１２】
また本発明は、前記ピックアップハウジングと前記ラック保持部材との間に、防振用部材を介在させたものであり、この構成によって、振動の伝達が防止され、シーク動作および各部における制御動作が良好に行われるようになる。
【００１３】
また本発明は、前記ラック保持部材を箱状に形成し、当該ラック保持部材におけるラックと対向する部位に開口部を設けたものであり、この構成によって、開口部からグリースなどの潤滑剤の注入が行え、しかもラック保持部材が箱状であるため潤滑剤の外部への飛散を最小限に抑えることができる。
【００１４】
また本発明は、前記ラック保持部材に、前記開口部を閉鎖する蓋部を一体に設けたものであり、この構成によって、開口部からの潤滑剤などの飛散を確実に防止することができる。
【００１５】
また本発明は、前記ラック保持部材を、互いに嵌合可能に２部材に分割して形成し、一方の部材で前記ラックを弾性的に保持し、かつ両部材によって前記リードスクリューを挟持するものであり、この構成によって、ラック保持部材に対するラックとリードスクリューの設置、およびラック保持部材自体の組立を容易に行うことができる。
【００１６】
【発明の実施の形態】
以下、本発明の好適な実施形態について図面を参照しながら説明する。
【００１７】
図１は本発明の実施形態を説明するための参考例であるピックアップのシーク機構を示す一部断面図、図２は図１のシーク機構の分解斜視図であり、１０は光ディスクなどの情報記録媒体に対して記録／再生を行うため情報記録媒体のラジアル方向（シーク方向）へ移動するピックアップ、１１はピックアップ１０を保持するピックアップハウジング、１２ａ，１２ｂはピックアップハウジング１１の側部に相対向して突設された保持部、１３は、保持部１２ａ，１２ｂにそれぞれ設けられた保持孔１４ａ，１４ｂに回転可能に遊嵌され、図示しない駆動モータにより伝達系を介して回転駆動されるリードスクリューである。
【００１８】
１５はリードスクリュー１３のネジ溝１３ａに噛合するラック部１７が設けられた弾性片１６を側面に一体成形したラック保持部材、１８ａ，１８ｂはラック保持部材１５の両端部に一体成形された腕部、１９ａ，１９ｂは、腕部１８ａ，１８ｂに形成され、保持部１２ａ，１２ｂの保持孔１４ａ，１４ｂに対向するように設置されてリードスクリュー１３の両端が貫通する通孔、２０，２０は、ラック保持部材１５の４隅部に一体に突設され、ピックアップハウジング１１の側部に嵌合してラック保持部材１５の回動を防止する規制部である。
【００１９】
前記構成の参考例では、ラック保持部材１５をピックアップハウジング１１の保持部１２ａ，１２ｂ間における側壁に規制部２０，２０によって嵌着しておき、リードスクリュー１３の一端部を、ピックアップハウジング１１の一方の保持部１２ａにおける保持孔１４ａから挿入して、ラック保持部材１５における一方の腕部１８ａの通孔１９ａから他方の通孔１９ｂを貫通させ、さらに他方の保持部１２ｂの保持孔１４ｂに嵌挿させることにより、ラック保持部材１５をピックアップハウジング１１に保持させている。この状態において、弾性片１６に設けられているラック部１７がリードスクリュー１３のネジ溝１３ａに弾接かつ噛合するようにセットされ、ラック部１７が、リードスクリュー１３の回転時に長手軸方向に沿って移動駆動されることにより、ピックアップハウジング１１をシーク方向へ移動させるようになっている。
【００２０】
本参考例では、前記のようなラック保持部材１５を設けたことにより、従来のようなネジ，板バネを用いることなく、ピックアップ１０をシーク方向へ駆動することができ、しかも、ピックアップ１０の上面および下面にネジ，板バネを設置する必要がないため、装置全体の高さ方向を薄くすることができる。
【００２１】
また従来では、図１９に示すように、板バネ７の設置スペースを確保する関係から、ピックアップハウジング２の重心Ｇ位置から、ラック８とリードスクリュー５との噛合位置が偏位するように構成されており、このため、リードスクリュー５による良好なシーク動作が行われない原因となっていた。
【００２２】
しかしながら、参考例の構成では、従来のようなネジ６，板バネ７の設置上の制約がなく、図１に示すように、ピックアップハウジング１１の重心Ｇ位置に合致するように、ラック部１７とリードスクリュー１３との噛合位置を設置することが可能になり、シーク動作を向上させることができる。
【００２３】
ところで、参考例におけるラック保持部材１５は、ラック部１７とリードスクリュー１３との噛合によりリードスクリュー１３の回転方向に連れて回転しやすく、リードスクリュー１３の反転動作に対するレスポンスが悪くなる。そこで、参考例では、ラック保持部材１５に、リードスクリュー１３の回転方向への回動を規制する規制部２０を設けており、ラック保持部材１５が、リードスクリュー１３が回転するときに連れて回動してしまうことを防止し、ラック保持部材１５の設置がリードスクリュー１３の回転動作に干渉することを防いでいる。
【００２４】
図３は前記ラック保持部材の変形例を示す斜視図である。なお、以下の説明において、図１，図２において説明した部材に対応する部材には同一符号を付して詳しい説明は省略する。図３に示す例では、ピックアップハウジング２１の側部に相対向して突設された保持部１２ａ，１２ｂの内壁に凹部２５ａ，２５ｂを形成し、この凹部２５ａ，２５ｂに嵌合する凸部２６ａ，２６ｂをラック保持部材２７の腕部１８ａ，１８ｂに形成しており、これらの凹部２５ａ，２５ｂと凸部２６ａ，２６ｂとによって、ラック保持部材２７を位置決めして回動を防止するための規制部を構成している。
【００２５】
図４は本発明の第１実施形態を説明するためのピックアップのシーク機構の分解図、図５は図４のラック保持部材を背面から見た斜視図であり、ラック保持部材３０には、その側面の一部にラック部３１が一体に形成され、ピックアップハウジング３２の保持部１２ａ，１２ｂ間にコイルスプリング３３の一端が嵌着する受け凹部３４が形成され、ラック保持部材３０におけるピックアップハウジング３２側の側面には、図５に示すように、コイルスプリング３３の他端を係止する突起部３５が突設されている。
【００２６】
第１実施形態においても、リードスクリュー１３の一端部を、ピックアップハウジング３２の一方の保持部１２ａの保持孔１４ａから挿入して、ラック保持部材３０における一方の腕部１８ａの通孔１９ａから他方の通孔１９ｂを貫通させ、さらに他方の保持部１２ｂの保持孔１４ｂに嵌挿させることにより、ラック保持部材３０をピックアップハウジング３２に保持させている。そして、この状態において、コイルスプリング３３の付勢力を受けてラック部３１が、リードスクリュー１３のネジ溝１３ａに弾接かつ噛合するようにセットされ、ラック部３１が、リードスクリュー１３の回転時に長手軸方向に沿って移動駆動されることにより、ピックアップハウジング３２をシーク方向へ移動させるようになっている。
【００２７】
図６は本発明の第１実施形態の変形例を説明するためのピックアップのシーク機構の分解図、図７は図６のラック保持部材を背面から見た斜視図であり、ラック保持部材３６には、その側面の一部にラック部３１が一体に形成され、ピックアップハウジング３７の保持部１２ａ，１２ｂ間に受け凹部３９を形成し、この受け凹部３９に、ラック部３１に対してリードスクリュー１３のネジ溝１３ａに弾接かつ噛合するように付勢力を与える板バネ３８の一方側を装着し、一方、ラック保持部材３６におけるピックアップハウジング３７側の側面には、図７に示すように、板バネ３８の他方側を装着する受け凹部４０が突設されている。
【００２８】
図４，図５と図６，図７に示す第１実施形態では、参考例のようにラック保持部材１５に弾性片１６を一体に設けることが、不可能な場合に有利であって、コイルスプリング３３あるいは板バネ３８を前記のように設置することによって、ラック部３１のリードスクリュー１３に対する噛合関係を良好に保持することができる。
【００２９】
図８は本発明の第２実施形態を説明するためのピックアップのシーク機構の分解図、図９は図８の各部を組み立てた状態の横断面図であり、第２実施形態では、ラック保持部材４１において、そのピックアップハウジング１１側と、ピックアップハウジング１１の一方の保持部１２ｂ側とに、それぞれ付勢弾性片４２，４３を一体に形成しており、図９に示すように、ピックアップハウジング１１側の付勢弾性片４２によってラック部３１に対してリードスクリュー１３に噛合させる付勢力を与え、また一方の保持部１２ｂ側の付勢弾性片４３によってラック保持部材４１が他方の保持部材１２ａに押圧される付勢力を与えて、ラック部３１がリードスクリュー１３の長手軸方向において噛合部分でのがたつきが生じないようにしている。
【００３０】
このように第２実施形態では、ラック部３１のリードスクリュー１３における径方向および長手軸方向の噛合部分でのがたつきを抑制することができるため、ピックアップにおけるシーク動作のレスポンスが向上する。
【００３１】
図１０は本発明の第３実施形態を説明するためのピックアップのシーク機構の断面図、図１１は図１０のラック保持部材を示す斜視図であり、第３実施形態では、ラック保持部材４５の腕部４６ａ，４６ｂに、ピックアップハウジング１１の保持孔１４ａ，１４ｂにそれぞれ嵌挿される管状突起部４７ａ，４７ｂを設け、管状突起部４７ａ，４７ｂにリードスクリュー１３が嵌挿される通孔１９ａ，１９ｂを形成している。さらに管状突起部４７ａ，４７ｂにゴム材からなる管状の防振部材４８をそれぞれ嵌挿し、防振部材４８がピックアップハウジング１１の保持部１２とラック保持部材４５の腕部４６ａ，４６ｂ間に介在するようになっている。また各保持部１２ａ，１２ｂの保持孔１４ａ，１４ｂにはリードスクリュー１３を回転可能に受ける環状部材４９がそれぞれ嵌着されている。
【００３２】
第３実施形態では、シーク駆動時のリードスクリュー１３におけるシーク方向の振動伝達、およびリードスクリュー１３の回転による振動を防振部材４８の存在によって低減させることができるため、良好なシーク動作とピックアップにおける対物レンズ・アクチュエータの良好な制御が可能になり、迅速なシークアクセスが行われるようになる。
【００３３】
図１２は本発明の第４実施形態を説明するためのピックアップのシーク機構におけるラック保持部材を示す斜視図、図１３（ａ）は図１２のラック保持部材の正面図、図１３（ｂ）は図１３（ａ）のＡ−Ａ線断面図、図１３(ｃ)は図１２のラック保持部材の背面図であり、第４実施形態では、既述したようにラック部を備えたリードスクリューを保持するラック保持部材５０を箱状に形成し、図１３（ｃ）に示すように、背面側（セット時にピックアップハウジング側になる側面）に弾性片５１が設けられて、弾性片５１におけるラック保持部材５０の内部側にリードスクリューに噛合するラック部５２が設けられており、さらにラック保持部材５０には内部にリードスクリューが貫通する通孔１９が設けられている。
【００３４】
またラック部５２が形成される部位に対向する正面側には、図１３（ａ），（ｂ）に示すように、ラック部５２を一体に成型するために、金型の構成上、開口部５３が形成される。この開口部５３は、リードスクリューとラック部５２との摩擦抵抗を低減させるためにグリースなどの潤滑剤を注入するために利用することができる。またラック保持部材５０の外側における大部分が壁面となっているため、潤滑剤が外部に飛散することは極力防止されることになる。
【００３５】
なお、開口部５３は、潤滑剤が開口部５３から外部に飛散して光ディスクなどのメディアの記録面を汚すことを防止するため、メディアに対向設置されないように配慮する必要がある。
【００３６】
開口部５３からの潤滑剤の飛散を防止するため、図１４に示すラック保持部材の斜視図、図１５の図１４のラック保持部材を横方向に断面して示す斜視図のように、ラック保持部材５５に、開口部５３の近傍を回転支点として回動するキャップ体５６を設け、必要以外のときにはキャップ体５６を蓋体として開口部５３を閉鎖して、潤滑剤が外部へ出ることがないようすることが考えられる。
【００３７】
キャップ体５６は、ラック保持部材５５が樹脂のモールド成形時に一体的に成形することが可能である。また、図１５に示すように、キャップ体５６に係止爪５７を形成し、係止爪５７を開口部５３の一部に係合させて、キャップ体５６を確実に止めるようにしてもよい。
【００３８】
図１６は本発明の第５実施形態を説明するためのピックアップのシーク機構の要部を示す斜視図であり、第５実施形態では、ラック保持部材６０の天板６１における４隅から下端にそれぞれ引掛け爪部６２ａを有する垂下足６２を設け、かつラック部６３を天板６１から垂下した弾性片６４に設けており、対向する一対の垂下足６２，６２間をリードスクリュー１３が通るようにしてある。
【００３９】
一方、ピックアップハウジング５９の保持部１２ａ，１２ｂには、ラック保持部材６０の引掛け爪部６２ａを係止するための溝部６６ａ，６６ｂが形成されており、引掛け爪部６２ａを溝部６６ａ，６６ｂに嵌着させることによって、ラック保持部材６０がピックアップハウジング５９に保持されることになる。
【００４０】
第５実施形態のラック保持部材６０の構成によって、リードスクリュー１３などの構成部材をセットした後に、ラック保持部材６０を所定位置に簡単に取り付けることができるようになる。
【００４１】
図１７は本発明の第６実施形態を説明するためのピックアップのシーク機構の要部を示す斜視図であり、第６実施形態では、箱状のラック保持部材７０を互いに嵌合可能な一対の分割部材７１，７２によって構成したものであり、一方の分割部材７１には、リードスクリューが通る通孔１９となる半円弧部７３と、弾性片７４と、弾性片７４に形成されたラック部７５と、それぞれ爪部７６ａが形成された複数（本例では４本）の立腕７６とが一体に形成されている。また他方の分割部材７２には、リードスクリューが通る通孔１９となる半円弧部７７と、各爪部７６ａが嵌合する嵌合溝部７８とが一体に形成されている。
【００４２】
第６実施形態のラック保持部材７０の構成によって、ラック保持部材７０がリードスクリュー１３と嵌合状態になる半円弧部７３，７７によって位置決めされることになるため、ラック部７５が精度よく固定されることになる。すなわち、第６実施形態では、図１８に示す従来の構造のような板バネ７が矢印Ｃ方向に角度ずれを生じやすく、このため、ラック８とリードスクリュー５との噛合状態にも微妙なずれが生じやすいという問題がなくなり、円滑なシーク動作が長期にわたって行えるようになる。
【００４３】
なお、前記参考例，各実施形態の構成を適宜組み合わせて実施することも可能である。
【００４４】
【発明の効果】
以上説明したように、本発明に係るピックアップのシーク機構によれば、ラック保持部材にリードスクリューとラックが設けられ、リードスクリューとラックとの弾接噛合関係は、ネジなどを使用することなく適正かつ良好に保持され、しかも、リードスクリューとラックを含むラック保持部材をピックアップハウジングの側部に設置することによって、装置全体として薄型化を図ることができ、その組立も簡単であるなど、実用的な効果が大である。さらに、ピックアップハウジングとラック保持部材との間に弾性部材を配置し、この弾性部材の位置決め部をピックアップハウジングとラック保持部材に設けたことにより、確実かつ安定的にリードスクリューとラックとの弾接噛合関係を維持することができる。
【図面の簡単な説明】
【図１】  本発明の実施形態を説明するための参考例であるピックアップのシーク機構を示す一部断面図
【図２】  参考例におけるシーク機構の分解斜視図
【図３】  参考例におけるラック保持部材の変形例を示す斜視図
【図４】  本発明の第１実施形態を説明するためのピックアップのシーク機構の分解図
【図５】  第１実施形態におけるラック保持部材を背面から見た斜視図
【図６】  本発明の第１実施形態の変形例を説明するためのピックアップのシーク機構の分解図
【図７】  第１実施形態におけるラック保持部材を背面から見た斜視図
【図８】  本発明の第２実施形態を説明するためのピックアップのシーク機構の分解図
【図９】  第２実施形態における各部を組み立てた状態の横断面図
【図１０】  本発明の第３実施形態を説明するためのピックアップのシーク機構の断面図
【図１１】  第３実施形態におけるラック保持部材を示す斜視図
【図１２】  本発明の第４実施形態を説明するためのピックアップのシーク機構におけるラック保持部材を示す斜視図
【図１３】  （ａ）は第４実施形態におけるラック保持部材の正面図、（ｂ）は（ａ）のＡ−Ａ線断面図、(ｃ)は第４実施形態におけるラック保持部材の背面図
【図１４】  第４実施形態におけるラック保持部材の変形例の斜視図
【図１５】  図１４のラック保持部材を横方向に断面して示す斜視図
【図１６】  本発明の第５実施形態を説明するためのピックアップのシーク機構の要部を示す斜視図
【図１７】  本発明の第６実施形態を説明するためのピックアップのシーク機構の要部を示す斜視図
【図１８】  従来のピックアップのシーク機構の要部を示す斜視図
【図１９】  従来のピックアップのシーク機構の平面図
【符号の説明】
１０  ピックアップ
１１，２１，３２，３７，５９  ピックアップハウジング
１２ａ，１２ｂ  保持部
１３  リードスクリュー
１３ａ  ネジ溝
１４ａ，１４ｂ  保持孔
１５，２７，３０，３６，４１，４５，５０，５５，６０，７０  ラック保持部材
１６，５１，６４，７４  弾性片
１７，３１，５２，６３，７５  ラック部
１８ａ，１８ｂ，４６ａ，４６ｂ  腕部
１９ａ，１９ｂ  通孔
２０  規制部
２５ａ，２５ｂ  凹部
２６ａ，２６ｂ  凸部
３３  コイルスプリング
３８  板バネ
４２，４３  付勢弾性片
４８  防振部材
５３  開口部
５６  蓋体
７１，７２  分割部材
７３，７７  半円弧部
７６  立腕
７８  嵌合溝部
【図１】
0003935297.tif 000002
【図２】
0003935297.tif 000003
【図３】
0003935297.tif 000004
【図４】
0003935297.tif 000005
【図５】
0003935297.tif 000006
【図６】
0003935297.tif 000007
【図７】
0003935297.tif 000008
【図８】
0003935297.tif 000009
【図９】
0003935297.tif 000010
【図１０】
0003935297.tif 000011
【図１１】
0003935297.tif 000012
【図１２】
0003935297.tif 000013
【図１３】
0003935297.tif 000014
【図１４】
0003935297.tif 000015
【図１５】
0003935297.tif 000016
【図１６】
0003935297.tif 000017
【図１７】
0003935297.tif 000018
【図１８】
0003935297.tif 000019
【図１９】
0003935297.tif 000020